(57)【要約】【課題】電磁調理器の一部には、内部に設けた赤外線センサで被加熱体（鍋）の温度を直接計測する器具があり、この温度検知用透過窓を備えている電磁調理器にも対応できる電磁調理器用汚れ防止マットを提供する。【解決手段】磁力線を通し、非導電性の材質で形成したシート部材１１の表裏に、適宜なコーティング１２，１３を施した電磁調理器用汚れ防止マットにおいて、適宜個所の適宜範囲に、熱センサ用透孔形成部２（ミシン目２１で区画或いは印刷で区画表示）を設けてなる。【選択図】図２
0003160562.tif 000002
【実用新案登録請求の範囲】
【請求項１】
磁力線を通し、非導電性の材質で形成したシート部材の表裏に、適宜なコーティングを施した電磁調理器用汚れ防止マットにおいて、適宜個所の適宜範囲に、熱センサ用透孔形成部を設けてなることを特徴とする電磁調理器用汚れ防止マット。
【請求項２】
熱センサ用透孔形成部が、ミシン目で区画して切除可能に形成されている請求項１記載の電磁調理器用汚れ防止マット。
【請求項３】
熱センサ用透孔形成部内に、ミシン目と接続される切れ目を設けてなる請求項２記載の電磁調理器用汚れ防止マット。
【請求項４】
熱センサ用透孔形成部が矩形で対向辺間に切れ目を設けてなる請求項３記載の電磁調理器用汚れ防止マット。
【請求項５】
熱センサ用透孔形成部が、切除個所の指示表示で区画してなる請求項１記載の電磁調理器用汚れ防止マット。
【請求項６】
シート部材がガラス繊維織布で、表面にフッ素樹脂コーティングを施し、裏面に粘着性を有するシリコン樹脂コーティングを施してなる請求項１乃至５記載の何れかの電磁調理器用汚れ防止マット。
【考案の詳細な説明】
【技術分野】
【０００１】
本考案は、電磁調理器の鍋置き個所に敷いて使用する汚れ防止マットに関するものである。
【背景技術】
【０００２】
電磁調理器用汚れ防止マットは、ガラス繊維織布のように磁力線を通し、非導電性の材質のシート部材からなるもので（特許文献１）、特に前記のシート部材の表面に、シリコン樹脂、フッ素樹脂等の耐水・耐油性に優れた材質でコーティングしてなると共に、透明性を確保したマットも提案されている（特許文献２）。
【０００３】
また電磁調理器には、安全性確保のために、熱センサを備え、調理対象（被加熱体）の鍋の温度の異常を検知した際に電磁コイルへの通電を遮断する機構が設けられており、前記のマットが熱検知の障害にならないように、一定以下の熱抵抗を備えることが提案されている（特許文献３）。
【先行技術文献】
【特許文献】
【０００４】
【特許文献１】特開平１１−３３２７５９号公報。
【特許文献２】特開２００４−２０７１２１号公報。
【特許文献３】特開２００９−１４０８８７号公報。
【考案の概要】
【考案が解決しようとする課題】
【０００５】
電磁調理器の天板は、耐熱ガラス盤で形成されていると共に、表面若しくは裏面に非透明処理（化粧処理）を施し、機器内部が視認されないようにしている。また被加熱体の温度を直接検出する手段として、前記の非透明処理を施さずに透過窓とし、赤外線センサで被加熱体の赤外線放射を検知する器具が知られている（特開平１０−２８４２３８号公報）。
【０００６】
前記の特許文献２に開示されている汚れ防止マットのように透明性を確保している場合には、前記の温度検知用透過窓を備えた電磁調理器にも使用することができるが、透明度によっては、検知の確実性に疑問がもたれ、且つ相応の透明性を備えるためには、耐水・耐油性のためのコーティングに支障が生じてしまう。
【０００７】
そこで本考案は、温度検知用透過窓を備えない電磁調理器にも、また温度検知用透過窓を備えた電磁調理器にも使用することができる電磁調理器用汚れ防止マットを提案したものである。
【課題を解決するための手段】
【０００８】
本考案に係る電磁調理器用汚れ防止マットは、磁力線を通し、非導電性の材質で形成したシート部材の表裏に、適宜なコーティングを施した電磁調理器用汚れ防止マットにおいて、適宜個所の適宜範囲に、熱センサ用透孔形成部を設けてなること特徴としたものである。
【０００９】
而して従前の汚れ防止マットと同様に電磁調理器の加熱個所に敷いて使用されるもので、特に温度検知用透過窓を備えた電磁調理器の場合には、熱センサ用透孔形成部を開口して透孔を形成し、形成された透孔を温度検知用透過窓に合わせてマットを敷くことによって、温度検知に全く支障なくマットを使用することができる。
【００１０】
また本考案（請求項２）係る電磁調理器用汚れ防止マットは、特に熱センサ用透孔形成部を、ミシン目で区画して切除可能に形成したもので、ミシン目から切除することで、容易に熱センサ用透孔形成部を開口することができる。
【００１１】
また本考案（請求項３）に係る電磁調理器用汚れ防止マットは、特に前記のマットにおいて、熱センサ用透孔形成部内に、ミシン目と接続される切れ目を設けてなるもので、切れ目部分からマットを表裏にずらし、開いた空間からハサミ等を差し入れると、透孔の形成が容易に行うことができる。
【考案の効果】
【００１２】
本考案は、前記の構成を備えたもので、通常の電磁調理器用汚れ防止マットでも、材質を特別なものにすることなく、温度検知用透過窓を備えた電磁調理器にも使用することができる汚れ防止マットを提供できたものである。
【図面の簡単な説明】
【００１３】
【図１】本考案の実施形態の使用状態の説明図。
【図２】同全体斜視図（要部拡大説明図）。
【図３】同全体斜視図（透孔開口状態）。
【考案を実施するための形態】
【００１４】
次に本考案の実施形態について説明する。実施形態に示した電磁調理器用汚れ防止マットは、マット本体１が三層構造で、適宜個所に熱センサ用透孔形成部２を設けるとともに、裏面にフィルム製カバー３を設けたものである。
【００１５】
マット本体１は、電磁調理器Ａにおける発熱部（磁気コイル上部）Ｂの形状に対応するガラス繊維織布のシート部材１１を心材とし、その表面にフッ素樹脂コーティング１２を施し、裏面に粘着性を有するシリコン樹脂コーティング１３を施してなるものである。
【００１６】
熱センサ用透孔形成部２は、使用対象の電磁調理器Ａにおける温度検知用透過窓Ｃの位置及び大きさに対応した範囲を、ミシン目２１で区画して切除可能に形成すると共に、前記の区画内において、ミシン目２１と接続される切れ目２２を設けてなるものである。
【００１７】
尚フィルム製カバー３は、マット使用前において、裏面のシリコン樹脂コーティング１３にゴミ等が付着するのを防止するためのものである。
【００１８】
而して前記の汚れ防止マットは、使用に際して裏面のカバー３を剥離し、熱センサ用透孔形成部２をそのままとした状態では、温度検知用透過窓Ｃを備えていない電磁調理器Ａの加熱個所に敷いて使用するものである。
【００１９】
また温度検知用透過窓Ｃを備えている電磁調理器Ａにおいては、切れ目２２部分を表裏何れかから押し出すと空間が開かれる。この空間からハサミ等の切断器具の刃先を入れ、ミシン目２１に添って切断し、熱センサ用透孔形成部２を除去すると、透孔４が形成される。
【００２０】
そこで透孔４を温度検知用透過窓Ｃに合致させてマットを敷くことによって、マットの機能が発揮できると共に、被加熱体（鍋）の赤外線放射を、何ら支障なく調理器Ａ内の温度センサで検知することができるものである。
【００２１】
尚本考案は、前記実施形態に限定されるものではなく、マット本体１の構造は、所定の機能を備えているものであれば、任意に定められるものであり、また熱センサ用透孔形成部も、透孔４の開口個所が確認できるものであれば、特に開口補助機能（ミシン目や、切れ目）を備えずに、単に開口個所を指示する表示線・表示面等の印刷表示でも良い。
【符号の説明】
【００２２】
１      マット本体
１１    シート部材
１２    フッ素樹脂コーティング
１３    シリコン樹脂コーティング
２      熱センサ用透孔形成部
２１    ミシン目
２２    切れ目
３      フィルム製カバー
４      透孔
【図１】
0003160562.tif 000003
【図２】
0003160562.tif 000004
【図３】
0003160562.tif 000005
【手続補正書】
【提出日】平成22年4月16日(2010.4.16)
【手続補正１】
【補正対象書類名】実用新案登録請求の範囲
【補正対象項目名】請求項１
【補正方法】変更
【補正の内容】
【請求項１】
磁力線を通し、非導電性の材質で形成したシート部材の表裏に、コーティングを施した電磁調理器用汚れ防止マットにおいて、熱センサ用透孔形成部を設けてなることを特徴とする電磁調理器用汚れ防止マット。